(57)【要約】  本発明の一態様は、ユーザの煩わしさを低減した端末装置を実現する。本発明の一態様に係る端末装置（２）は、コンテンツ出力装置（３〜５）が出力するコンテンツに関する情報を表示する端末装置であって、制御部（１０）と通信部（１７）と表示部（１８）とを備え、上記制御部（１０）は、上記通信部（１７）を介して上記コンテンツ出力装置（３〜５）と通信可能である場合に、上記表示部（１８）に、上記コンテンツ出力装置（３〜５）に対する操作に関するオブジェクトを表示させる。
2019058712.tif 000002
【特許請求の範囲】
【請求項１】
コンテンツ出力装置が出力するコンテンツに関する情報を表示する端末装置であって、
制御部と通信部と表示部とを備え、
上記制御部は、
上記通信部を介して上記コンテンツ出力装置と通信可能である場合に、上記表示部に、上記コンテンツ出力装置に対する操作に関するオブジェクトを表示させることを特徴とする端末装置。
【請求項２】
上記制御部は、
上記通信部を介して上記コンテンツ出力装置と通信可能である場合に、上記表示部に、上記コンテンツ出力装置に対する操作画面へ遷移する遷移ボタンを表示させることを特徴とする請求項１に記載の端末装置。
【請求項３】
上記制御部は、
上記通信部を介して通信可能である上記コンテンツ出力装置が複数存在する場合に、上記表示部に、当該複数のコンテンツ出力装置の各々に対応する複数の上記遷移ボタンを表示させることを特徴とする請求項２に記載の端末装置。
【請求項４】
上記制御部は、
上記コンテンツ出力装置に対する複数種類の操作画面を選択可能に上記表示部に表示させることを特徴とする請求項２又は３に記載の端末装置。
【請求項５】
上記制御部は、
上記遷移ボタンを操作することによって遷移した後の操作画面に、
アプリケーションを起動する起動ボタンを表示させることを特徴とする請求項２から４までの何れか１項に記載の端末装置。
【請求項６】
上記制御部は、
端末装置が属するローカルエリアネットワークに探索信号を上記通信部を介してブロードキャストし、
上記探索信号に対する応答信号を送信した上記コンテンツ出力装置に対する操作を可能とすることを特徴とする請求項１から５までの何れか１項に記載の端末装置。
【請求項７】
上記制御部は、
上記コンテンツ出力装置と通信可能となった場合、所定のコンテンツを上記コンテンツ出力装置上において再生させるための操作ボタンを表示させることを特徴とする請求項２から６までの何れか１項に記載の端末装置。
【請求項８】
コンテンツ出力装置が出力するコンテンツに関する情報を表示する端末装置の制御方法であって、
上記コンテンツ出力装置と通信可能である場合に、上記コンテンツ出力装置に対する上記端末装置による操作に関するオブジェクトを表示させる制御ステップ
を含んでいることを特徴とする制御方法。
【請求項９】
請求項１から７までの何れか１項に記載の端末装置としてコンピュータを機能させるための制御プログラムであって、上記制御部としてコンピュータを機能させるための制御プログラム。
【発明の詳細な説明】
【技術分野】
【０００１】
本発明は、端末装置、制御方法、及び制御プログラムに関する。
【背景技術】
【０００２】
近年、スマートフォン等の端末装置を、上記端末装置が属するローカルエリアネットワークに接続されているテレビジョン受像機のリモコンとして使用する技術が存在する。【０００３】
以下の特許文献１では、ユーザの視聴シーンに合わせて最適なコンテンツ情報を提供する携帯端末装置が開示されている。また、特許文献２では、特定の範囲内に位置した場合、又は無線ＬＡＮ（Local Area Network）ルータとの通信が行える範囲内に入った場合に自動的にリモコンアプリケーションが起動する携帯無線通信端末が開示されている。
【先行技術文献】
【特許文献】
【０００４】
【特許文献１】日本国公開特許公報「特開２０１３−２４７５４４号公報（２０１３年１２月９日公開）」
【特許文献２】日本国公開特許公報「特開２０１１−７１８８０号公報（２０１１年４月７日公開）」
【発明の概要】
【発明が解決しようとする課題】
【０００５】
しかしながら、上述のような従来技術では、端末装置をコンテンツ出力装置（テレビジョン受像機）のリモコンとして使用するにあたり、ユーザの煩わしさの面で課題があった。【０００６】
本発明の一態様は、ユーザの煩わしさを低減した端末装置を実現することを目的とする。
【課題を解決するための手段】
【０００７】
上記の課題を解決するために、本発明の一態様に係る端末装置は、コンテンツ出力装置が出力するコンテンツに関する情報を表示する端末装置であって、制御部と通信部と表示部とを備え、上記制御部は、上記通信部を介して上記コンテンツ出力装置と通信可能である場合に、上記表示部に、上記コンテンツ出力装置に対する操作に関するオブジェクトを表示させる。
【発明の効果】
【０００８】
本発明の一態様によれば、端末装置をコンテンツ出力装置のリモコンとして使用するにあたり、ユーザの煩わしさを低減した端末装置を実現することができる。
【図面の簡単な説明】
【０００９】
【図１】実施形態１に係る端末装置２の機能ブロック図である。
【図２】実施形態１の処理の流れを示すフローチャートである。
【図３】所定のアプリケーション内において遷移ボタン２０を画面に表示する例を示す図である。
【図４】コンテンツ出力装置３に対する操作画面の表示例である。
【図５】操作画面のアプリメニュー項目における表示例である。
【図６】操作画面の地デジメニュー項目における表示例である。
【図７】操作画面の入力切替メニュー項目における表示例である。
【図８】実施形態２の処理の流れを示すフローチャートである。
【図９】所定のアプリケーション内において複数の遷移ボタン２０ａ〜２０ｃを画面に表示する例を示す図である。
【図１０】遷移ボタン（ウィジェット）４１及び４２を画面に表示する例を示す図である。
【図１１】所定のコンテンツに係る操作ボタン５１を画面に表示する例を示す図である。
【図１２】端末装置２又はコンテンツ出力装置３として利用可能なコンピュータ９１０の構成を例示したブロック図である。
【発明を実施するための形態】
【００１０】
本発明の実施形態について図１〜図１２に基づいて説明すれば以下の通りである。
【００１１】
〔実施形態１〕
以下、本発明の一実施形態について、図１〜図７に基づいて説明する。
【００１２】
［１．端末装置２及びコンテンツ出力装置３等の構成］
図１に基づいて本実施形態の構成について説明する。
【００１３】
図１は、本実施形態に係る端末装置２及びコンテンツ出力装置３等の機能ブロック図である。
【００１４】
図１に示す通り、端末装置２は、記憶部１６、通信部１７、表示部１８、及び制御部１０を備えている。
【００１５】
記憶部１６は、各種データを保持する。
【００１６】
通信部１７は、コンテンツ出力装置３等との通信を行う。表示部１８は、動画像を表示する表示パネルであって、タッチパネル部１９を備える。タッチパネル部１９は、表示部１８に重畳して又は表示部１８と一体として設けられており、表示部１８に対する物体の接触を検出し、上記接触に係る制御を行う。
【００１７】
制御部１０は、端末装置２全体を統括する制御回路であって、操作受付部１１、表示制御部１２、通信制御部１３、及びメタデータ管理部１４としても機能する。
【００１８】
操作受付部１１は、タッチパネル部１９への物体の接触に係る信号を受信し、上記信号に応じた制御を行う。表示制御部１２は、動画像及びオブジェクトを表示部１８に表示させる制御を行う。通信制御部１３は、通信部１７によるコンテンツ出力装置３等との通信を制御する。メタデータ管理部１４は、通信部１７を介してコンテンツのメタデータを取得する。また、上記メタデータに基づく番組情報欄等の生成を行う。
【００１９】
なお、表示制御部１２が表示部１８に表示させるオブジェクトとは、ボタンやウィジェットなどのような、画面表示を構成するための様々な部品の総称である。
【００２０】
なお、端末装置２が備える各部材は単数であることに限定されず、複数の当該部材を備える構成でもよい。
【００２１】
コンテンツ出力装置３〜５は、番組の視聴及びリモコンによる操作が可能なテレビジョン受像機及びテレビジョン受像機に準ずる機器である。以下、本明細書におけるコンテンツ出力装置３に関する説明は、コンテンツ出力装置４及び５並びに図１には図示しない他のコンテンツ出力装置に対しても適用可能である。コンテンツ出力装置３は、出力又は表示に係るコンテンツを、アクセスポイント９を介してコンテンツ配信サーバ８から、又は放送波により取得する。
【００２２】
アクセスポイント９は、無線ＬＡＮ（ローカルエリアネットワーク）１を形成するルータ等であって、データ通信における中継点として機能する。
【００２３】
［２．処理の流れ］
以下、端末装置２が、コンテンツ出力装置３に対する操作画面を表示する処理の流れについて図１〜図７に基づいてステップごとに説明する。
【００２４】
図２は、本実施形態の処理の流れを示すフローチャートである。
【００２５】
（Ｓ１０１）
端末装置２が、ユーザ設定済みの（Ｗｉ‐Ｆｉ（登録商標）等の）無線ＬＡＮ（ローカルエリアネットワーク）１の圏内に存在する場合、端末装置２と無線ＬＡＮ１のアクセスポイント９とがデータ通信可能な接続状態となる。
【００２６】
通信制御部１３は、端末装置２が属する無線ＬＡＮ１のブロードキャストアドレスに対して、コンテンツ出力装置３等を対象とする探索信号を、通信部１７を介して送信する。
【００２７】
（Ｓ１０２）
端末装置２により操作が可能なコンテンツ出力装置３は、上記探索信号に対する応答信号及びコンテンツ出力装置３に係る情報、及びコンテンツ出力装置３により視聴可能なコンテンツに係るメタ情報を送信する。なお、コンテンツ出力装置３に係る情報には、コンテンツ出力装置３の制御信号に係る仕様データが含まれる。
【００２８】
また、コンテンツ出力装置３には、端末装置２と連携するためのアプリケーション又はプログラムが、事前にインストール又は格納されている。
【００２９】
メタデータ管理部１４は、通信部１７を介して上記情報を取得し、記憶部１６に格納する。次いでメタデータ管理部１４は、上記情報を参照し、コンテンツ出力装置３に対する操作画面及び後述する他の表示画面又はウィジェットに係るデータを生成し、記憶部１６に格納する。
【００３０】
（Ｓ１０３）
端末装置２が、通信部１７を介してコンテンツ出力装置３と通信可能となった場合、通信制御部１３は、記憶部１６に格納されたコンテンツ出力装置３の制御信号に係る仕様データを用い、公知の方法でコンテンツ出力装置３に対する操作を可能とする。
【００３１】
表示制御部１２は、コンテンツ出力装置３に対する操作画面へ遷移する遷移ボタンを表示部１８に表示させる。
【００３２】
なお、表示制御部１２は、通信部１７を介してコンテンツ出力装置３と通信可能とならなかった場合には、遷移ボタンを表示させなくてもよいし、例えば表示色を無彩色や透明色にする等、遷移ボタンに対するタッチが無効であることを示す様態で遷移ボタンを表示させてもよい。
【００３３】
図３は、例えばコンテンツ出力装置３等で出力可能なコンテンツに関する情報を提供するアプリケーションのような所定のアプリケーション内において、遷移ボタン２０を画面（表示部１８）に表示する例を示す図である。
【００３４】
図３の右下に表示された遷移ボタン２０により、コンテンツ出力装置３への操作が可能となった旨を通知している。以下、遷移ボタン２０の表示を一機能として有する上記アプリケーションにおける他の項目について補足する。なお、上記アプリケーションは、一例であって以下の構成であることに限定されない。
【００３５】
検索バー２１は、ユーザが番組名や出演者名等のキーワードを入力することにより上記キーワードに関連したコンテンツに係る情報を抽出又は検索するための項目である。メニューバー２２は、コンテンツの種別を切り替える為の項目である。タイトル２３は、日付及び直下のオブジェクトのタイトルを示す項目である。表示カード２４は、各種コンテンツに係る情報を表示する項目である。視聴ボタン２５は、表示カード２４に記載されたコンテンツをコンテンツ出力装置３に表示させるボタンである。ツールバー２６は、コンテンツのカテゴリを切り替える為の項目である。
【００３６】
（Ｓ１０４）
本ステップにおいては、ユーザが遷移ボタン２０をタッチしたか否かの判定を行う。ユーザが遷移ボタン２０をタッチした場合、ステップＳ１０５に遷移し、タッチしていない場合は、本ステップＳ１０４に留まる。
【００３７】
（Ｓ１０５）
図４は、コンテンツ出力装置３に対する操作画面の表示例である。
【００３８】
ユーザが図３における遷移ボタン２０をタッチすると、タッチパネル部１９が、ユーザによる遷移ボタン２０への接触を検知し、操作受付部１１は、上記接触に係る信号を受信する。表示制御部１２は、タッチパネル部１９による検知に起因して、図４に示すコンテンツ出力装置３に対する操作画面を表示部１８に表示させる。なお、ユーザが遷移ボタン２０をタッチして表示制御部１２が最初に表示部１８に表示させる画面は必ずしも図４に示す操作画面であることに限定されず、例えばメニューバー３２が含む項目に係る画面であって、上記項目に係る画面のうち直近に表示していた画面であってもよい。
【００３９】
図４に示すように上記操作画面は、戻るボタン３０、電源ボタン３１、メニューバー３２、表示エリア３３ａ、及び音量調整ボタン３４を含んでいる。
【００４０】
戻るボタン３０は、遷移ボタン２０をタッチする前の画面に戻るボタンである。電源ボタン３１は、コンテンツ出力装置３の電源のＯＮ／ＯＦＦを切り替えるボタンである。メニューバー３２は、操作画面における機能を切り替える為の項目である。表示エリア３３ａは、コンテンツ出力装置３に対する操作ボタンを表示する領域である。音量調整ボタン３４は、コンテンツ出力装置３が発する音の大きさを変更するボタンである。
【００４１】
なお、上記操作画面は一例であって必ずしも上記構成であることに限定されない。メニューバー３２は、操作ボタン３２ａ、アプリ（アプリケーション）ボタン３２ｂ、地デジ（地上波デジタル放送）ボタン３２ｃ、ＢＳ（Broadcast Satellite）ボタン３２ｄ、入力切替ボタン３２ｅを含む。ユーザが、メニューバー３２が含む各ボタンをタッチ又はフリック操作により切り替えることで、表示制御部１２は上記各ボタンに対応する画面を表示部１８に表示させる。
【００４２】
図５は、操作画面のアプリメニューにおける表示例である。
【００４３】
ユーザがアプリボタン３２ｂをタッチした場合、タッチパネル部１９が、ユーザによるアプリボタン３２ｂへの接触を検知し、操作受付部１１は、上記接触に係る信号を受信する。表示制御部１２は、タッチパネル部１９による検知に起因して、表示エリア３３ｂに示すように、１又は複数のアプリケーションを起動するボタンを表示部１８に表示させる。上記アプリケーションは、コンテンツ出力装置３にインストール済みのアプリケーションに対応するアプリケーションであってもよいし、関連する他のアプリケーションであっても構わない。表示制御部１２が、表示エリア３３ｂに表示するアプリケーションとしては、例えばビデオオンデマンドコンテンツ、音楽、ゲーム等に係るアプリケーションが挙げられる。
【００４４】
図６は、操作画面の地デジメニュー項目における表示例である。
【００４５】
ユーザが地デジボタン３２ｃをタッチした場合、タッチパネル部１９が、ユーザによる地デジボタン３２ｃの接触を検知し、操作受付部１１は、上記接触に係る信号を受信する。表示制御部１２は、タッチパネル部１９による検知に起因して、表示エリア３３ｃに示すように、チャンネル選局画面を表示部１８に表示させる。
【００４６】
チャンネル選局画面においては、単なる局番号だけではなく、表示エリア３３ｃに示すように放送局名及び番組名を表示してもよい。
【００４７】
ユーザがＢＳボタン３２ｄをタッチした場合に表示される、操作画面のＢＳのメニュー項目における構成は、地デジのメニュー項目における上記の説明に準拠する。
【００４８】
図７は、操作画面の入力切替メニュー項目における表示例である。
【００４９】
ユーザが入力切替ボタン３２ｅをタッチした場合、タッチパネル部１９が、ユーザによる入力切替ボタン３２ｅへの接触を検知し、操作受付部１１は、上記接触に係る信号を受信する。表示制御部１２は、タッチパネル部１９による検知に起因して、表示エリア３３ｄに示すように、入力切替画面を表示部１８に表示させる。
【００５０】
入力切替画面においては、コンテンツ出力装置３に対して映像信号を出力する外部機器又はインターフェースを切り替えることが可能である。
【００５１】
なお、上記操作画面における表示例は、以降の実施形態においても適用可能である。以上が本ステップＳ１０５における処理である。
【００５２】
上記の構成によれば、容易にコンテンツ出力装置３への操作を可能とし、上記操作が可能となった旨及びコンテンツ出力装置３に関する情報を画面上で確認できる端末装置２を実現することができる。
【００５３】
〔実施形態２〕
本発明の他の実施形態について、図１、図８及び図９に基づいて説明する。
【００５４】
本実施形態においては、端末装置２による操作対象となるコンテンツ出力装置３等が複数存在する場合の構成について説明する。
【００５５】
［１．端末装置２及びコンテンツ出力装置３等の構成］
本実施形態においても図１に示す構成を用いる。
【００５６】
［２．処理の流れ］
以下、端末装置２が、コンテンツ出力装置３〜５に対する操作画面を表示する処理の流れについて図１、図８及び図９に基づいてステップごとに説明する。
【００５７】
図８は、本実施形態の処理の流れを示すフローチャートである。
【００５８】
（Ｓ１０１）
端末装置２が、ユーザ設定済みの（Ｗｉ‐Ｆｉ等の）無線ＬＡＮ１の圏内に存在する場合、端末装置２と無線ＬＡＮ１のアクセスポイント９とがデータ通信可能な接続状態となる。
【００５９】
通信制御部１３は、端末装置２が属する無線ＬＡＮ１のブロードキャストアドレスに対して、コンテンツ出力装置３等の探索信号を、通信部１７を介して送信する。
【００６０】
（Ｓ１１２）
端末装置２により操作が可能な複数のコンテンツ出力装置３〜５は、上記探索信号に対する応答信号及びコンテンツ出力装置３〜５に係る情報、及びコンテンツ出力装置３〜５により視聴可能なコンテンツに係るメタ情報を送信する。なお、コンテンツ出力装置３〜５に係る情報には、コンテンツ出力装置３〜５の制御信号に係る仕様データが含まれる。
【００６１】
また、複数のコンテンツ出力装置３〜５には、端末装置２と連携するためのアプリケーション又はプログラムが、事前にインストール又は格納されている。
【００６２】
メタデータ管理部１４は、通信部１７を介して上記情報を取得し、記憶部１６に格納する。次いでメタデータ管理部１４は、上記情報を参照し、コンテンツ出力装置３〜５に対する操作画面及び他の表示画面又はウィジェットに係るデータを生成し、記憶部１６に格納する。
【００６３】
（Ｓ１１３）
端末装置２が、コンテンツ出力装置３〜５と通信可能となった場合、即ち端末装置２によるコンテンツ出力装置３〜５に対する操作が可能となった場合、表示制御部１２は、端末装置２から操作可能となった複数のコンテンツ出力装置３〜５の各々に対応する遷移ボタン２０ａ〜２０ｃを表示部１８に複数表示させる。
【００６４】
図９は、所定のアプリケーション内において複数の遷移ボタン２０ａ〜２０ｃを画面に表示する例を示す図である。
【００６５】
（Ｓ１１４）
本ステップにおいては、ユーザが何れかの遷移ボタン２０ａ、２０ｂ又は２０ｃをタッチしたか否かの判定を行う。ユーザが、何れかの遷移ボタン２０ａ、２０ｂ又は２０ｃをタッチした場合は、ステップＳ１１５へ遷移し、タッチしていない場合は、本ステップＳ１１４に留まる。
【００６６】
（Ｓ１１５）
ユーザが図９に示す何れかの遷移ボタン２０ａ、２０ｂ又は２０ｃをタッチすると、タッチパネル部１９が、ユーザによる遷移ボタン２０ａ、２０ｂ又は２０ｃへの接触を検知し、操作受付部１１は、上記接触に係る信号を受信する。表示制御部１２は、タッチパネル部１９による検知に起因して、遷移ボタン２０ａ、２０ｂ又は２０ｃに対応したコンテンツ出力装置３〜５に対する操作画面を表示部１８に表示させる。以上が本ステップＳ１１５における処理である。
【００６７】
上記の構成においては、無線ＬＡＮ１内に端末装置２による操作が可能なコンテンツ出力装置３〜５が複数存在した場合においても、各コンテンツ出力装置３〜５において実施形態１と同様な効果を奏する。
【００６８】
＜実施形態１及び２に係る付記事項＞
図１０は、遷移ボタン（ウィジェット）４１及び４２を画面に表示する例を示す図である。
【００６９】
コンテンツ出力装置３等に対する遷移ボタンは、図３に示すように、所定のアプリケーション内における一機能としても実現してもよいし、図１０の（ａ）におけるウィジェット４１及び（ｂ）におけるウィジェット４２に示すようにスマートフォン等におけるホーム画面等にウィジェットとして、表示制御部１２が、表示部１８に表示させる構成でもよい。なお、遷移ボタン自体においてもコンテンツ出力装置３等に対する簡易的な操作が可能な構成でもよい。
【００７０】
また、表示されている遷移ボタンをタッチしたときに、どのコンテンツ出力装置が操作可能になるかを示すために、遷移ボタン２０等の近傍に、対応するコンテンツ出力装置３等の名称を表示したり、遷移ボタン２０等の色を、対応するコンテンツ出力装置３等の固有情報に応じて変化させたりしてもよい。
【００７１】
図１１は、所定のコンテンツに係る操作ボタン５１を画面に表示する例を示す図である。
【００７２】
端末装置２がコンテンツ出力装置３等と通信可能となった場合、図１１に示すように、表示制御部１２が、所定のコンテンツをコンテンツ出力装置３等上において再生させるための操作ボタン５１（を含むウィジェット５０）を表示させる構成でもよい。上記の構成においては、ユーザが上記コンテンツをコンテンツ出力装置３等で視聴する旨の操作を行った場合、コンテンツ出力装置３等にて上記コンテンツの再生を行う。なお上記コンテンツとは、番組に限定されず、ビデオオンデマンドコンテンツ、音楽、ゲーム等であってもよい。
【００７３】
端末装置２とコンテンツ出力装置３等との接続は、無線ＬＡＮ１のアクセスポイント９を介してデータ通信を可能とする間接的な接続に限定されない。例えばＢｌｕｅｔｏｏｔｈ（登録商標）等により、直接的に接続される構成でもよい。あるいは、コンテンツ出力装置３等が無線ＬＡＮを形成する構成でも構わない。
【００７４】
端末装置２が、コンテンツ出力装置３等の制御信号に係る仕様データを取得するのは、端末装置２から送信した探索信号に対する応答信号に併せてコンテンツ出力装置３等から取得する構成に限定されない。例えば、端末装置２が、上記応答信号に併せてコンテンツ出力装置３等の名称又は型番を取得し、記憶部１６が予め保持する各種装置に対する制御信号の中から、制御部が、好適な制御信号を選択するか、上記名称又は型番を有するコンテンツ出力装置３等に好適な制御信号に係るデータを別途サーバから取得し、以降の処理に用いる構成でもよい。あるいは、ユーザが、事前に端末装置２において対応させるコンテンツ出力装置３等を設定する場合に、コンテンツ出力装置３等に好適な制御信号に係るデータを上記のように選択又は取得する構成でもよい。なお、制御信号に係るデータは、コンテンツ出力装置３等と通信可能になる都度、端末装置２が取得する必要は無く、一度取得した当該データをメタデータ管理部１４が記憶部１６に格納し、以後用いる構成でも構わない。
【００７５】
また、コンテンツ出力装置３等に対する操作画面において、ＣＥＣ（Consumer Electronic Control）機能を有するＨＤＭＩ（登録商標）ケーブル等によりコンテンツ出力装置３等と接続されたプレイヤー等の機器に対する操作も可能とする構成でもよい。上記構成においては、端末装置２がコンテンツ出力装置３等の制御信号に係る仕様データを取得する場合に併せて、上記機器の制御信号に係る仕様データを取得し、以降の制御に用いる。なお端末装置２と上記機器における通信はコンテンツ出力装置３等を介して行う。
【００７６】
通信制御部１３が、端末装置２に属する無線ＬＡＮ１のブロードキャストアドレスに対して、端末装置２により操作可能なコンテンツ出力装置３等の探索信号を送信した場合において、端末装置２により操作が可能でない各種装置においても、上記各種装置が、端末装置２により操作が可能な装置ではない旨の応答信号を端末装置２に送信しても構わない。
【００７７】
端末装置２におけるコンテンツ出力装置３等に対する操作画面は、当然にコンテンツ出力装置３等によって異なるが、表示制御部１２は、ある１つのコンテンツ出力装置３等に対しても、複数種類の操作画面を選択可能に表示部１８に表示させる構成でもよい。
【００７８】
〔ソフトウェアによる実現例〕
端末装置２の制御ブロック（特に制御部１０および記憶部１６）は、集積回路（ＩＣチップ）等に形成された論理回路（ハードウェア）によって実現してもよいし、ソフトウェアによって実現してもよい。
【００７９】
後者の場合、端末装置２は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central ProcessingUnit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８０】
〔実施形態４〕
上記各実施形態では、１つのコンテンツ配信サーバ８を用いる例を説明したが、コンテンツ配信サーバ８の有する各機能が、個別のサーバにて実現されていてもよい。そして、複数のサーバを適用する場合においては、各サーバは、同じ事業者によって管理されていてもよいし、異なる事業者によって管理されていてもよい。
【００８１】
〔実施形態５〕
端末装置２およびコンテンツ配信サーバ８の各ブロックは、集積回路（ＩＣチップ）等に形成された論理回路（ハードウェア）によって実現してもよいし、ソフトウェアによって実現してもよい。後者の場合、端末装置２およびコンテンツ配信サーバ８のそれぞれを、図１２に示すようなコンピュータ（電子計算機）を用いて構成することができる。
【００８２】
図１２は、端末装置２またはコンテンツ配信サーバ８として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００８３】
補助記憶装置９１４には、コンピュータ９１０を端末装置２またはコンテンツ配信サーバ８として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、端末装置２またはコンテンツ配信サーバ８が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【００８４】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００８５】
〔まとめ〕
本発明の態様１に係る端末装置２は、コンテンツ出力装置３〜５が出力するコンテンツに関する情報を表示する端末装置２であって、制御部１０と通信部１７と表示部１８を備え、上記制御部１０は、上記通信部１７を介して上記コンテンツ出力装置３〜５と通信可能である場合に、上記表示部１８に、上記コンテンツ出力装置３〜５に対する操作に関するオブジェクトを表示させる構成である。
【００８６】
上記の構成によれば、ユーザの煩わしさを低減した端末装置を実現できる。
【００８７】
本発明の態様２に係る端末装置２は、上記の態様１において、上記制御部１０は、上記通信部１７を介して上記コンテンツ出力装置３〜５と通信可能である場合に、上記表示部１８に、上記コンテンツ出力装置３〜５に対する操作画面へ遷移する遷移ボタンを表示させる構成としてもよい。
【００８８】
上記の構成によれば、コンテンツ出力装置３〜５への操作が可能であることを視認することができ、コンテンツ出力装置３〜５への操作画面を容易に表示できる効果を奏する。
【００８９】
本発明の態様３に係る端末装置２は、上記の態様２において、上記制御部１０は、上記通信部１７を介して通信可能である上記コンテンツ出力装置３〜５が複数存在する場合に、上記表示部に、複数の上記コンテンツ出力装置３〜５の各々に対応する複数の上記遷移ボタンを表示させる構成としてもよい。
【００９０】
上記の構成においては、無線ＬＡＮ１内に端末装置２による操作が可能なコンテンツ出力装置３〜５が複数存在した場合においても、各コンテンツ出力装置３〜５において態様１と同様な効果を奏する。
【００９１】
本発明の態様４に係る端末装置２は、上記の態様２又は３において、上記制御部１０は、上記コンテンツ出力装置３〜５に対する複数種類の操作画面を選択可能に上記表示部１８に表示させる構成としてもよい。
【００９２】
本発明の態様５に係る端末装置２は、上記の態様２から４までの何れか１態様において、上記制御部１０は、上記遷移ボタンを操作することによって遷移した後の操作画面に、アプリケーションを起動する起動ボタンを表示させる構成としてもよい。
【００９３】
上記の構成によれば、操作画面から容易にアプリケーションを起動できる効果を奏する。
【００９４】
本発明の態様６に係る端末装置２は、上記の態様１から５までの何れか１態様において、上記制御部１０は、端末装置２が属する無線ＬＡＮ１に探索信号を上記通信部１７を介してブロードキャストし、上記探索信号に対する応答信号を送信した上記コンテンツ出力装置３〜５に対する操作を可能とする構成としてもよい。
【００９５】
上記の構成によれば、態様１に示す効果を奏する端末装置２の実施に寄与する。
【００９６】
本発明の態様７に係る端末装置２は、上記の態様２から６までの何れか１態様において、上記制御部１０は、上記コンテンツ出力装置３〜５と通信可能となった場合、所定のコンテンツを上記コンテンツ出力装置３〜５上において再生させるための操作ボタンを表示させる構成としてもよい。
【００９７】
上記の構成によれば、電子番組表画面を経由せずとも、端末装置２から所定のコンテンツをコンテンツ出力装置３〜５上において再生できる。
【００９８】
本発明の態様８に係る制御方法は、コンテンツ出力装置３〜５が出力するコンテンツに関する情報を表示する端末装置２の制御方法であって、上記コンテンツ出力装置３〜５と通信可能である場合に、上記コンテンツ出力装置３〜５に対する端末装置２による操作に関するオブジェクトを表示させる制御ステップを含んでいる方法である。
【００９９】
上記の方法によれば、態様１に係る端末装置２と同様の作用効果を奏する。
【０１００】
本発明の態様９に係る制御プログラムは、態様１から７までの何れか１態様に記載の端末装置２としてコンピュータを機能させるための制御プログラムであって、制御部１０としてコンピュータを機能させる構成としてもよい。
【０１０１】
本発明の各態様に係る端末装置２は、コンピュータによって実現してもよく、この場合には、コンピュータを端末装置２が備える各部（ソフトウェア要素）として動作させることにより端末装置２をコンピュータにて実現させる端末装置２の制御プログラム、およびそれを記録したコンピュータ読み取り可能な記録媒体も、本発明の範疇に入る。
【０１０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０３】
１  無線ＬＡＮ
２  端末装置
３、４、５  コンテンツ出力装置
８  コンテンツ配信サーバ
９  アクセスポイント
１０  制御部
１１  操作受付部
１２  表示制御部
１３  通信制御部
１４  メタデータ管理部
１６  記憶部
１７  通信部
１８  表示部
１９  タッチパネル部
２０、２０ａ、２０ｂ、２０ｃ  遷移ボタン
３２ａ、５１  操作ボタン
９１０  コンピュータ
９１１  バス
９１２  演算装置
９１３  主記憶装置
９１４  補助記憶装置
９１５  入出力インターフェース
９１６  通信インターフェース
９２０  入力装置
９３０  出力装置
【図１】
2019058712.tif 000003
【図２】
2019058712.tif 000004
【図３】
2019058712.tif 000005
【図４】
2019058712.tif 000006
【図５】
2019058712.tif 000007
【図６】
2019058712.tif 000008
【図７】
2019058712.tif 000009
【図８】
2019058712.tif 000010
【図９】
2019058712.tif 000011
【図１０】
2019058712.tif 000012
【図１１】
2019058712.tif 000013
【図１２】
2019058712.tif 000014
【国際調査報告】
2019058712.tif 000015
2019058712.tif 000016
2019058712.tif 000017
2019058712.tif 000018